(57)【特許請求の範囲】
【請求項１】
上部蓋体四面を夫々下方に折り曲げたダンボール箱と，下面にダンボール箱の側縁を挟持する軌条状に突出した保持板を設けた便座とを備え，複数のペットボトルをダンボール箱外側に並置して紐，バンドで結束したダンボール箱に便座を固定したトイレ。
【請求項２】
便座外周に袋の端を固定するＶ字状の切り込み溝を形成した引っ掛けストッパーを設けた請求項１記載のトイレ。
【請求項３】
便座下面の保持板内側に大便と小便を分ける区分仕切り板を設けた請求項１記載のトイレ。
【請求項４】
便座外周縁を下方に曲げ保持板の外側から前記便座外周縁に連接したペットボトルを並置する位置決めのペットボトル口固定リブを設けた請求項１記載のトイレ。
【請求項５】
便座外周縁を下方に曲げ保持板の外側から前記便座外周縁に連接した補強リブを設けた請求項１記載のトイレ。
【発明の詳細な説明】
【技術分野】
【０００１】  本発明は、ダンボール箱に便座を取り付け、大便と小便を分けて処理できるトイレに関するものである。
【背景技術】
【０００２】  震災等において通常使用している既存の便所が使用不能になったり、存在しなくなることがある。行政の指導では震災時において救援活動が行き届く間、各家庭において少なくとも三日分以上の備え（水、食料、衣類、医薬品、簡易トイレ等）を市民に求めている。例えば年毎に多くなる高層建物が倒壊を免れたとしても停電、断水、水洗トイレの使用中止が考えられる。排泄は長時間留め置く事は出来ない。震災に備えた簡易トイレの開発は多くなされているが、各家庭に備蓄として買い備えに至っていない現実問題がある。【０００３】  従来ある震災等緊急時に対応する防災用品の中で簡易トイレの種類は多い。ダンボール組み立て式のものがある（例えば特許文献１参照）（例えば特許文献２参照）。又は、使い捨てトイレがある（例えば特許文献３参照）。又は、ペール缶を使った大便と小便を分別処理が出来る様にしたものもある（例えば特許文献４参照）。【０００４】  過去の大地震の教訓を踏まえ、震災直後において水とトイレは最優先の必需品であることを弁えた時、従来の簡易トイレの優れているところは範として、水とトイレを関係付け水入りペットボトルの箱を利用しての簡易トイレとした。
【先行技術文献】
【特許文献】
【０００５】
【特許文献１】  特開２００９−４２５公報
【０００６】
【特許文献２】  特開２００６−２９６９２５公報
【０００７】
【特許文献３】  特開２００７−１６００３２公報
【０００８】
【特許文献４】  特開２００７−５４５２４公報
【発明の概要】
【発明が解決しようとする課題】
【０００９】  一般家庭において震災に備える備蓄品としてのトイレは、買い揃いやすい価格で、嵩張らず、劣悪な環境の中において女子、子供が安全に使用でき、大便と小便を簡易に区分け出来るものが望ましい。【００１０】  本発明は、震災に備えて各家庭の防災備蓄品を備え易い形態にし、廉価で使い勝手の良い簡易トイレを実現することを目的とするものである。
【課題を解決するための手段】
【００１１】  本発明は、上記目的を達成する為、水入りペットボトル（１，５〜２Ｌ）６本詰めダンボール箱の空のダンボール箱を使って便器としたもので、該ダンボール箱の上部蓋体４面を開き夫々下方え折り曲げ紐、バンド等で結束して開口部とし、プラスチックス成型による便座の下面に軌条状に突出した保持板を以って開口部側縁を挟持し便座をダンボール箱に固定。該便座の外周縁は鷲の嘴状に下方に曲げ、該外周縁下から保持板の外側に連接したペットボトル口固定リブを設け、ダンボール箱外側に該ダンボール箱中にあったペットボトルの口を、ペットボトル口固定リブ内にあわせ前記ペットボトルを並置し便座を支えるものである。【００１２】  また、第二の課題解決手段は、便座外周にＶ字状の切り込み溝を形成した引っ掛けストッパーを設け、且つ、便座の下面に軌条状に突出している保持板内周部内側の対向する左右壁面に夫々設けた差込み孔に、大便と小便を分ける区分仕切り板の左右に設けた錠止部を夫々差込み、区分仕切り板を便座の下面の保持板内側に固定するものである。更に便座は嵩張らぬように便座中央部に設けてあるヒンジによって二つ折りに出来る様にした。【００１３】  上記第一の課題解決手段による作用は次の通りである。使用目的の異なるダンボール箱、即ち流通目的に作られているダンボール箱を簡易トイレとして利用する場合、ダンボール箱にかかる荷重とその方向を見極める事が重要である。まずダンボール箱の上部蓋体４面を開き夫々下方え折り曲げ紐、バンド等で結束して開口部とし、便座下面に軌条状に突出した保持板を以って前記開口部側縁を挟持したダンボール箱は、コーナーの糊しろ部の剥がれを防ぎ、且つ、開口部が蓋体と二重構造になっている事は強度を大きく増し、該便座に体重を掛けてもダンボール箱の開口部が外側に開く事は抑制される。また、便座の外周縁下から保持板外側に連接して設けたペットボトル口固定リブに、使用ダンボール箱に入っているペットボトルの口をペットボトル口固定リブ内に合わせたペットボトルは位置決め後の座り込みがよく、ダンボール箱外側に前記ペットボトルを並置し紐、バンド等で結束する事によって、体重を受ける便座を固定したダンボール箱は荷重に十分に耐える事が出来、且つ、安定した構造は倒れにくく劣悪な環境の中において安全に使用出来る。【００１４】  また、第二の課題解決手段による作用は、便座下面、保持板内周部内側に設けた差込み孔に、区分仕切り板左右の錠止部を差込み固定した区分仕切り板は、体重を掛けた便座が左右外側に広がるのを防ぎ、且つ、便座外周に設けてある引っ掛けストッパー開口部にゴミ袋又はレジ袋等便収容袋の端を掛け便座内側え引き込むように圧下固定し、前記区分仕切り板を境に便収容袋を前後に振り分けて垂らし置き前を小便、後ろを大便貯留用にしたものである。さらに、防災備蓄品として保管時において便座を嵩張らないよう、該便座の中央部にヒンジを設け二つ折りに出来るようにした。
【発明の効果】
【００１５】  上述したように本発明は、蓋を開き蓋体４面を下方え折り曲げ紐、バンド等で結束したダンボール箱開口部に保持板を以って便座を嵌め込み、保持板内側に区分仕切り板を取り付けるだけの構造は組み立てが簡単で、強度面において十二分に配慮し、４本のペットボトルに支えられ安定した構造は女子、子供にも使い勝手が良く震災等劣悪な環境の中において安全に使用可能にしたものである。便座本体と区分仕切り板で構成されている本発明はプラスチックス成型品で低価格で提供できるものである。【００１６】  また震災時の現場において、排泄物を如何に少なくし、扱い易い状態に出来るかが重要になる。排泄量の異なる大便と小便を分ける事は排泄後の量を管理しやすくし、且つ、処理も容易い。排泄物の区分に区分仕切り板を便座の下中央に境として置く事は引っ掛けストッパーに掛けたゴミ袋又はレジ袋等便収容袋を前後に確実にするもので大便と小便を分ける事が的確に出来る、そして区分仕切り板を境に前後に掛け置く便収容袋は引っ掛けストッパーの脱着が容易で取り付け、取り外しをし易くした。さらに防災備蓄品として備蓄時において便座の容積を小さくし保管し易くした事は効果を発揮するものである。
【図面の簡単な説明】
【００１７】
【図１】  本発明の正面図
【図２】  同右側面図
【図３】  同左側面図
【図４】  同Ａ−Ａ断面図
【図５】  同実施形態を示す外観図
【発明を実施するための形態】
【００１８】  以下、本発明の実施の形態を図１〜図５に基づいて説明する。
【００１９】  図において１は便座で、市販されているお茶、水、清涼飲料水等のペットボトル６本入りダンボール箱（１，５〜２Ｌ）の空にしたダンボール箱１０の上部蓋体４面を夫々下方え折り曲げ紐、バンド等１２で結束してダンボール箱開口部１１とし、前記便座１下面に設けられた軌条状に突出した保持板２によってダンボール箱開口部１１を挟持しダンボール箱１０に便座１は固定される。
【００２０】  ３は便座１外周に設けたＶ字状の切り込み溝を形成した引っ掛けストッパーで、用便を貯留する便収容袋の端を前記引っ掛けストッパー３開口部に掛け内側に引き込むように圧下する事によってＶ字溝奥において袋の端は固着され便収容袋は便座１に固定される。
【００２１】  また、４は便座１下面に軌条状に突出した保持板２内周内側に取り付け、ダンボール箱１０内、中央にあって前後を二分する区分仕切り板で、引っ掛けストッパー３に固定した便収容袋は該区分仕切り板４を以って境とし前後に振り分け沈め置き前方を小便、後方を大便貯留用と分けて使用される。加えて前記区分仕切り板４は、保持板２の内周内側に設けた差込み孔５に区分仕切り板４左右の錠止部４ａを夫々差し込み固定するが、このとき体重を受けた便座１が左右外側に広がるのを防ぐ働きをする。
【００２２】  以下、上記構成と実施動作を説明する。流通用ダンボール箱を簡易トイレとして利用するにあたって注意すべき事は強度の保持と水濡れ防止である。上述した構成において便座１下面に設けた保持板２が、空のダンボール箱１０の上部蓋体四面を夫々下方え折り曲げ紐、バンド等１２で結束したダンボール箱開口部１１側縁を挟持固定する事により、ダンボール箱開口部１１側縁に受ける荷重を補強リブ７を備えた便座１が緩和し、且つダンボール箱１０が外側に開くことを防ぎ、また便座１外周縁と保持板２外側に連接したペットボトル口固定リブ６内にペットボトル口を合わせ、ダンボール箱１０外側に並置し紐、バンド等１２で結束する事によって便座１を固定したダンボール箱１０は受ける体重を十分に支える事が出来る。
【実施例１】
【００２３】  次に、本発明の実施形態を組み立てを通して防水処置と、使い勝手について説明する。
ダンボール箱１０上部蓋体四面を夫々下方え折り曲げ紐、バンド等１２で結束しダンボール箱開口部１１とし、前記ダンボール箱１０に、該ダンボール箱１０が入る程のポリ袋を被せポリ袋の底部を箱中に沈め置き、ポリ袋の端はダンボール箱開口部１１側縁に沿うように被せ置く。且つ、便座１下面に軌条状に突出した保持板２を以ってダンボール箱開口部１１側縁に被せてある該ポリ袋端辺を挟み込みながらダンボール箱開口部１１を挟持し便座１を固定する。該ポリ袋はダンボール箱１０内において防水の役割を果たすものであり、且つ、取り外しが簡単で汚れの時の交換は容易に出来る。前記、保持板２内周内側の左右壁面に設けた差込み孔５に区分仕切り板４の左右に設けた錠止部４ａを夫々差し込み区分仕切り板４は便座１下面保持板２内側に固定される。
【実施例２】
【００２４】  さらに、便座１外周縁を鷲の嘴状に曲げ、該外周縁下から保持板２外側に連接したペットボトル口固定リブ６内にペットボトルの口を合わせ位置決め後ダンボール箱１０外側に並置し紐、バンド等１２で結束固定する。（図５参照）次いで、便座１外周に設けてある引っ掛けストッパー３開口部にゴミ袋又はレジ袋等便収容袋を前方、後方に夫々掛け内側に圧下固定、区分仕切り板４を境に振り分け沈め置かれた便収容袋は用便貯留用として前を小便、後を大便と分けて処理するトイレで、安定した構造は座り心地よく女子、子供が安全に使用出来る。
【産業上の利用可能性】
【００２５】  マグニチュード８クラスの地震が２００〜３００年間隔で発生すると言われ関東大震災後の発生について切迫性が指摘されている。通常生活において地震に対する備えを、その必要性と、無駄と思われる中で必要性を甘受し防災備蓄品を無駄にしない方法において本発明は効果を発揮するものである。災害における被害は都市部により多く起こり其の対策は各家庭において出来る限りの備えを求められている、賞味期限の長い水入りペットボトルをダンボール箱６本入りで購入し、後日消費した分を補填する形をとる事が出来れば全国的に水の防災備蓄は高まり加えてダンボール箱に便座を固定したトイレの備蓄にもつながり効果を発揮するものである。
【符号の説明】
【００２６】１      便座
２      保持板
３      引っ掛けストッパー
４      区分仕切り板
４ａ    錠止部
５      差込み孔
６      ペットボトル口固定リブ
７      補強リブ
８      ヒンジ
１０    ダンボール箱
１１    ダンボール箱開口部
１２    紐、バンド等
【図１】
0005483289.tif 000002
【図２】
0005483289.tif 000003
【図３】
0005483289.tif 000004
【図４】
0005483289.tif 000005
【図５】
0005483289.tif 000006